(57)【要約】【課題】携帯端末装置を用いて、宅内および宅外から適正に給湯装置を遠隔制御することが可能な給湯システム、給湯装置およびプログラムを提供する。【解決手段】給湯システム１は、通信中継器（ルータ２０）を介して外部通信網５０と接続可能な給湯装置１０と、サーバ５０と、を備える。サーバ５０は、給湯装置１０に対して遠隔制御を行い得る携帯端末装置３０と当該給湯装置１０とを対応付けるペアリング処理の際に、携帯端末装置３０が接続している通信中継器の識別情報を取得してペアリング情報とともに記憶する。そして、サーバ５０は、携帯端末装置３０から遠隔制御の通信を受信した場合に、遠隔操作先の給湯装置１０に対応づけられて記憶されている通信中継器の識別情報と、当該通信において携帯端末装置３０から受信した通信中継器の識別情報とが一致するか否かに基づいて、遠隔制御の条件を決定するための制御を行う。【選択図】図１
2020053899.tif 000002
【特許請求の範囲】
【請求項１】
通信中継器を介して外部通信網と接続可能な給湯装置と、
前記外部通信網に接続され、携帯端末装置からの要求に基づき前記給湯装置を制御するサーバと、を備え、
前記サーバは、
前記給湯装置に対して遠隔制御を行い得る携帯端末装置と当該給湯装置とを対応付けるペアリング処理の際に、前記携帯端末装置が接続している通信中継器の識別情報を取得してペアリング情報とともに記憶部に記憶し、
前記携帯端末装置から前記給湯装置に対する遠隔制御の通信を受信した場合に、遠隔制御先の前記給湯装置に対応づけられて前記記憶部に記憶されている前記通信中継器の識別情報と、当該通信において前記携帯端末装置から受信した通信中継器の識別情報とが一致するか否かに基づいて、前記遠隔制御の条件を決定するための制御を行う、
ことを特徴とする給湯システム。
【請求項２】
請求項１に記載の給湯システムにおいて、
前記サーバは、
複数の前記携帯端末装置に対する前記ペアリング処理において互いに異なる前記通信中継器の識別情報を取得した場合に、これら識別情報を前記記憶部に記憶し、
前記携帯端末装置から前記給湯装置に対する遠隔制御の通信を受信した場合に、遠隔制御先の前記給湯装置に対応づけられて前記記憶部に記憶されている何れかの前記通信中継器の識別情報と、当該通信において前記携帯端末装置から受信した通信中継器の識別情報とが一致するか否かに基づいて、前記遠隔制御の条件を決定するための制御を行う、
ことを特徴とする給湯システム。
【請求項３】
請求項１または２に記載の給湯システムにおいて、
前記サーバは、比較対象の前記２つの識別情報が一致する場合の遠隔操作の対象項目が、前記２つの識別情報が一致しない場合の前記遠隔操作の対象項目よりも多くなるように前記携帯端末装置に対する制御を行う、
ことを特徴とする給湯システム。
【請求項４】
請求項１ないし３の何れか一項に記載の給湯システムにおいて、
前記通信中継器の識別情報は、ＢＳＳＩＤである、
ことを特徴とする給湯システム。
【請求項５】
通信中継器を介して外部通信網に接続された給湯装置を携帯端末装置からの要求に基づき制御するサーバであって、
記憶部と制御部を備え、
前記制御部は、
前記給湯装置に対して遠隔制御を行い得る携帯端末装置と当該給湯装置とを対応付けるペアリング処理の際に、前記携帯端末装置が接続している通信中継器の識別情報を取得してペアリング情報とともに前記記憶部に記憶させ、
前記携帯端末装置から前記給湯装置に対する遠隔制御の通信を受信した場合に、遠隔制御先の前記給湯装置に対応づけられて前記記憶部に記憶されている前記通信中継器の識別情報と、当該通信において前記携帯端末装置から受信した通信中継器の識別情報とが一致するか否かに基づいて、前記遠隔制御の条件を決定するための制御を行う、
ことを特徴とするサーバ。
【請求項６】
請求項５に記載のサーバにおいて、
前記制御部は、
複数の前記携帯端末装置に対する前記ペアリング処理において互いに異なる前記通信中継器の識別情報を取得した場合に、これら識別情報を前記記憶部に記憶させ、
前記携帯端末装置から前記給湯装置に対する遠隔制御の通信を受信した場合に、遠隔制御先の前記給湯装置に対応づけられて前記記憶部に記憶されている何れかの前記通信中継器の識別情報と、当該通信において前記携帯端末装置から受信した通信中継器の識別情報とが一致するか否かに基づいて、前記遠隔制御の条件を決定するための制御を行う、
ことを特徴とするサーバ。
【請求項７】
請求項５または６に記載のサーバにおいて、
前記制御部は、比較対象の前記２つの識別情報が一致する場合の遠隔操作の対象項目が、前記２つの識別情報が一致しない場合の前記遠隔操作の対象項目よりも多くなるように前記携帯端末装置に対する制御を行う、
ことを特徴とするサーバ。
【請求項８】
請求項５ないし７の何れか一項に記載のサーバにおいて、
前記通信中継器の識別情報は、ＢＳＳＩＤである、
ことを特徴とするサーバ。
【請求項９】
携帯端末装置の制御部に給湯装置を遠隔制御するための機能を実行させるプログラムであって、
前記携帯端末装置と前記給湯装置とを対応付けるペアリング処理において、前記携帯端末装置が接続している通信中継器の識別情報を、前記遠隔制御を管理するサーバに外部通信網を介して送信する処理を含む、プログラム。
【発明の詳細な説明】
【技術分野】
【０００１】
本発明は、外部通信網と接続可能な給湯装置を携帯端末装置によって遠隔制御する給湯システム、当該給湯システムにおいて遠隔制御を管理するサーバ、および、携帯端末装置の制御部に給湯装置を遠隔操作するための機能を実行させるプログラムに関する。
【背景技術】
【０００２】
従来、給湯装置では、浴室やリビング、台所に設置されたリモートコントローラによって各種設定がなされていた。これに対し、最近では、携帯電話機等の携帯端末装置を用いて給湯装置に対する遠隔制御を行うシステムが検討されている。たとえば、以下の特許文献１には、携帯電話機を用いて給湯暖房機を遠隔制御するシステムが記載されている。
【先行技術文献】
【特許文献】
【０００３】
【特許文献１】特許第６１４２６８１号公報
【発明の概要】
【発明が解決しようとする課題】
【０００４】
給湯装置に対する遠隔制御は、携帯端末装置が宅内と宅外の何れにある場合も実行可能である。ここで、給湯装置が宅外から遠隔制御される場合、操作者は、宅内における給湯装置の利用状況を把握することなく、給湯装置に対する設定を行うことになる。この場合、たとえば、宅外からの遠隔操作によって、給湯中に不意に給湯温度が変化すると、給湯の実際の使用者に顕著な違和感や不都合を与えてしまう。
【０００５】
かかる課題に鑑み、本発明は、携帯端末装置を用いて、宅内および宅外から適正に給湯装置を遠隔制御することが可能な給湯システム、給湯装置およびプログラムを提供することを目的とする。
【課題を解決するための手段】
【０００６】
本発明の第１の態様は、給湯システムに関する。この態様に係る給湯システムは、通信中継器を介して外部通信網と接続可能な給湯装置と、前記外部通信網に接続され、携帯端末装置からの要求に基づき前記給湯装置を制御するサーバと、を備える。ここで、前記サーバは、前記給湯装置に対して遠隔制御を行い得る携帯端末装置と当該給湯装置とを対応付けるペアリング処理の際に、前記携帯端末装置が接続している通信中継器の識別情報を取得してペアリング情報とともに記憶部に記憶し、前記携帯端末装置から前記給湯装置に対する遠隔制御の通信を受信した場合に、遠隔制御先の前記給湯装置に対応づけられて前記記憶部に記憶されている前記通信中継器の識別情報と、当該通信において前記携帯端末装置から受信した通信中継器の識別情報とが一致するか否かに基づいて、前記遠隔制御の条件を決定するための制御を行う。
【０００７】
本態様に係る給湯システムによれば、ペアリング処理が宅内で行われる場合に、携帯端末装置が接続される宅内の通信中継器の識別情報が、ペアリング情報とともにサーバの記憶部に記憶される。したがって、サーバは、給湯装置に対する遠隔制御の通信を携帯端末装置から受信した場合に、当該通信において携帯端末装置から受信した通信中継器の識別情報と記憶部に記憶されている通信中継器の識別情報とが一致するか否かによって、携帯端末装置が宅内にあるか宅外にあるかを判別できる。よって、これら２つの識別情報に基づきサーバにおいて遠隔制御の条件を決定するための制御が行われることにより、宅内および宅外から適正に給湯装置を遠隔制御することができる。
【０００８】
本態様に係る給湯システムにおいて、前記サーバは、複数の前記携帯端末装置に対する前記ペアリング処理において互いに異なる前記通信中継器の識別情報を取得した場合に、これら識別情報を前記記憶部に記憶し、前記携帯端末装置から前記給湯装置に対する遠隔制御の通信を受信した場合に、遠隔制御先の前記給湯装置に対応づけられて前記記憶部に記憶されている何れかの前記通信中継器の識別情報と、当該通信において前記携帯端末装置から受信した通信中継器の識別情報とが一致するか否かに基づいて、前記遠隔制御の条件を決定するための制御を行うよう構成され得る。
【０００９】
この構成によれば、たとえば、ペアリング処理時に携帯端末装置が接続した通信中継器と、遠隔制御時に宅内において当該携帯端末装置が接続した通信中継器とが相違する場合であっても、遠隔制御時に接続した通信中継器の識別情報が、他の携帯端末装置のペアリング処理によってサーバに登録されていれば、当該携帯端末装置は宅内にあるものとして、遠隔制御の条件が設定される。よって、宅内および宅外からより適切に給湯装置を遠隔制御できる。
【００１０】
本態様に係る給湯システムにおいて、前記サーバは、比較対象の前記２つの識別情報が一致する場合の遠隔操作の対象項目が、前記２つの識別情報が一致しない場合の前記遠隔操作の対象項目よりも多くなるように前記携帯端末装置に対する制御を行う構成され得る。
【００１１】
このように、宅外からの遠隔制御の際に遠隔操作の対象項目が制限されることにより、宅内の使用者に顕著な違和感や不都合を与えることを回避できる。よって、より適切な遠隔制御を実現できる。
【００１２】
本態様に係る給湯システムにおいて、前記通信中継器の識別情報は、たとえば、ＢＳＳＩＤとされ得る。
【００１３】
本発明の第２の態様は、通信中継器を介して外部通信網に接続された給湯装置を携帯端末装置からの要求に基づき制御するサーバに関する。この態様に係るサーバは、記憶部と制御部を備え、前記制御部は、前記給湯装置に対して遠隔制御を行い得る携帯端末装置と当該給湯装置とを対応付けるペアリング処理の際に、前記携帯端末装置が接続している通信中継器の識別情報を取得してペアリング情報とともに前記記憶部に記憶させ、前記携帯端末装置から前記給湯装置に対する遠隔制御の通信を受信した場合に、遠隔制御先の前記給湯装置に対応づけられて前記記憶部に記憶されている前記通信中継器の識別情報と、当該通信において前記携帯端末装置から受信した通信中継器の識別情報とが一致するか否かに基づいて、前記遠隔制御の条件を決定するための制御を行う。
【００１４】
本態様に係るサーバによれば、上記第１の態様と同様の効果が奏され得る。
【００１５】
本態様に係るサーバにおいて、前記制御部は、複数の前記携帯端末装置に対する前記ペアリング処理において互いに異なる前記通信中継器の識別情報を取得した場合に、これら識別情報を前記記憶部に記憶させ、前記携帯端末装置から前記給湯装置に対する遠隔制御の通信を受信した場合に、遠隔制御先の前記給湯装置に対応づけられて前記記憶部に記憶されている何れかの前記通信中継器の識別情報と、当該通信において前記携帯端末装置から受信した通信中継器の識別情報とが一致するか否かに基づいて、前記遠隔制御の条件を決定するための制御を行うよう構成され得る。
【００１６】
また、前記制御部は、比較対象の前記２つの識別情報が一致する場合の遠隔操作の対象項目が、前記２つの識別情報が一致しない場合の前記遠隔操作の対象項目よりも多くなるように前記携帯端末装置に対する制御を行うよう構成され得る。
【００１７】
また、前記通信中継器の識別情報は、ＢＳＳＩＤとされ得る。
【００１８】
これらの構成によれば、上記第１の態様に示した対応する構成と同様の効果が奏され得る。
【００１９】
本発明の第３の態様は、携帯端末装置の制御部に給湯装置を遠隔制御するための機能を実行させるプログラムに関する。このプログラムは、前記携帯端末装置と前記給湯装置とを対応付けるペアリング処理において、前記携帯端末装置が接続している通信中継器の識別情報を、前記遠隔制御を管理するサーバに外部通信網を介して送信する処理を含む。
【００２０】
この態様に係るプログラムによれば、ペアリング処理において、前記携帯端末装置が接続している通信中継器の識別情報が携帯端末装置からサーバに送信される。よって、サーバにおいて、ペアリング処理時に携帯端末装置が接続している通信中継器の識別情報を円滑に取得および管理することができる。
【発明の効果】
【００２１】
以上のとおり、本発明によれば、携帯端末装置を用いて、宅内および宅外から適正に給湯装置を遠隔制御することが可能な給湯システム、給湯装置およびプログラムを提供することができる。
【００２２】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２３】
【図１】図１は、実施形態に係る給湯システムの構成を示す図である。
【図２】図２は、実施形態に係る給湯システムを構成する各機器の回路ブロックを示す図である。
【図３】図３（ａ）、（ｂ）は、それぞれ、実施形態に係る、給湯装置と携帯端末装置とをペアリングするための、台所リモコンと携帯端末装置における処理を示すフローチャートである。
【図４】図４（ａ）は、実施形態に係る、給湯装置と携帯端末装置とをペアリングするための、サーバにおける処理を示すフローチャートである。図４（ｂ）は、実施形態に係る、サーバにおいて管理される給湯装置と携帯端末装置とを対応付けた情報の構成を示す図である。
【図５】図５は、実施形態に係る、給湯装置と携帯端末装置とをペアリングする際に各装置間で行われる情報の送受信の流れを示すシーケンス図である。
【図６】図６（ａ）、（ｂ）は、それぞれ、実施形態に係る、遠隔操作における携帯端末装置およびサーバの制御を示すフローチャートである。
【図７】図７（ａ）は、実施形態に係る、遠隔操作時に携帯端末装置に表示される操作画面を模式的に示す図である。図７（ｂ）は、実施形態に係る、宅内モードと宅外モードとで遠隔操作が可能な項目を示す図である。
【図８】図８（ａ）は、変更例に係る、遠隔操作における携帯端末装置の制御を示すフローチャートである。図８（ｂ）は、変更例に係るサーバの設定コマンド受付処理を示すフローチャートである。
【図９】図９（ａ）〜（ｄ）は、それぞれ、変更例に係る、設定できない項目が操作された場合に表示される報知画面の一例を示す図である。
【発明を実施するための形態】
【００２４】
以下、本発明の実施形態について図面を参照して説明する。
【００２５】
図１は、実施形態に係る給湯システム１の構成を示す図である。
【００２６】
図１に示すように、給湯システム１は、給湯装置１０と、ルータ２０と、携帯端末装置３０と、外部通信網４０と、サーバ５０とを備える。
【００２７】
給湯装置１０は、給湯器１１と、リモートコントローラ１２、１３を備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００２８】
リモートコントローラ１２、１３は、給湯器１１に接続され、給湯装置１０の各機能について種々の設定を行うために用いられる。リモートコントローラ１２、１３は、それぞれ、表示部１２１、１３１と、入力部１２２、１３２とを備える。操作者は、表示部１２１、１３１に表示された画面に従って入力部１２２、１３２を操作することにより、湯張りや給湯温度調節等について、任意の設定を行うことができる。リモートコントローラ１２は、浴室に設置され、リモートコントローラ１３は、キッチン等に設置される。
【００２９】
以下、浴室に設置されるリモートコントローラ１２を、「浴室リモコン１２」と称し、キッチン等に設置されるリモートコントローラ１３を、「台所リモコン１３」と称する。
【００３０】
ルータ２０は、建物内（ここでは、宅内Ｈ１０）に存在する各機器を、外部通信網４０を介してサーバ５０に接続するための無線ルータである。ルータ２０には、ルータごとに個別に割り振られる識別子として、固有のＢＳＳＩＤ（Basic Service Set Identifier）が割り振られている。ルータ２０は、２種類の周波数帯（２．４ＧＨｚ、５ＧＨｚ）にて無線通信が可能である。ルータ２０には、周波数帯ごとにＢＳＳＩＤが割り振られている。ルータ２０は、宅内Ｈ１０の機器を外部通信網４０に接続するための通信中継器である。
【００３１】
台所リモコン１３は、無線通信により、ルータ２０に接続される。台所リモコン１３は、上記２種類の周波数帯（２．４ＧＨｚ、５ＧＨｚ）のうち一方（２．４ＧＨｚ）のみで、ルータ２０に接続可能である。また、携帯端末装置３０が宅内Ｈ１０に存在する場合、携帯端末装置３０は、無線通信によりルータ２０に接続されて、サーバ５０と通信可能である。携帯端末装置３０は、上記２種類の周波数帯（２．４ＧＨｚ、５ＧＨｚ）の何れでも、ルータ２０に接続可能である。携帯端末装置３０は、たとえば、携帯電話機である。この他、携帯端末装置３０が、携帯型のタブレット端末等の他の携帯可能な端末装置であってもよい。外部通信網４０は、たとえば、インターネットである。
【００３２】
外部通信網４０には、給湯装置１０に対する遠隔制御（遠隔操作および遠隔監視）を管理するためのサーバ５０が接続されている。台所リモコン１３は、ルータ２０および外部通信網４０を介して、サーバ５０と通信を行う。携帯端末装置３０が宅内Ｈ１０に存在する場合、携帯端末装置３０は、ルータ２０および外部通信網４０を介してサーバ５０と通信を行う。また、携帯端末装置３０が宅外にある場合、携帯端末装置３０は、外部に設置されたルータ６０または基地局７０を介して外部通信網４０に接続され、サーバ５０と通信を行う。
【００３３】
台所リモコン１３と携帯端末装置３０には、給湯システム１のアプリケーションプログラムが、サーバ５０からダウンロードされ、インストールされている。このアプリケーションプログラムに、サーバ５０にアクセスするためのアドレス情報（ＩＰアドレス）が含まれている。台所リモコン１３と携帯端末装置３０は、このアドレス情報に基づいて、サーバ５０にアクセスし、通信を行う。
【００３４】
台所リモコン１３のアドレス情報は、初期設定の際に、サーバ５０に送信され保持される。このとき同時に、台所リモコン１３が接続しているルータ２０のＩＤ情報（ＢＳＳＩＤ）が、台所リモコン１３からサーバ５０に送信される。ルータ２０のＩＤ情報（ＢＳＳＩＤ）は、台所リモコン１３とルータ２０とを接続する際に、ルータ２０から台所リモコン１３に受け渡され、台所リモコン１３に保持される。また、携帯端末装置３０のアドレス情報は、後述のペアリング処理の際に、携帯端末装置３０からサーバ５０に送信され保持される。
【００３５】
本実施形態では、台所リモコン１３および携帯端末装置３０のアドレス情報として、後述の台所リモコン１３の無線通信部１３６および携帯端末装置３０の無線通信部３０５（図２参照）に保持されたＭＡＣ（Media Access Control）アドレスが用いられる。台所リモコン１３および携帯端末装置３０のアドレス情報として、台所リモコン１３の無線通信部１３６および携帯端末装置３０の無線通信部３０５のグローバルＩＰアドレスが用いられてもよい。
【００３６】
図１の構成において、操作者は、宅内Ｈ１０と宅外の何れにおいても、携帯端末装置３０を用いて、給湯装置１０に対する遠隔制御（遠隔操作および遠隔監視）を行うことができる。
【００３７】
すなわち、携帯端末装置３０が宅内Ｈ１０と宅外の何れにある場合も、操作者から携帯端末装置３０に入力された設定要求は、外部通信網４０を介して、一旦、サーバ５０に送信される。これを受けて、サーバ５０は、設定要求を受信した携帯端末装置３０に予め対応付けられている給湯装置１０に対して、受信した設定要求を送信する。これにより、設定要求が、外部通信網４０およびルータ２０を介して、対応する給湯装置１０の台所リモコン１３に送信される。こうして、操作者が要求する内容の設定が、遠隔操作により、給湯装置１０に適用される。
【００３８】
また、給湯装置１０の状態情報が、所定周期で随時、台所リモコン１３からルータ２０を介してサーバ５０に送信される。状態情報は、現在の給湯装置１０の設定状態を示す情報である。サーバ５０は、受信した状態情報を、給湯装置１０ごとに管理する。操作者から携帯端末装置３０に入力された遠隔監視の閲覧要求は、外部通信網４０を介して、一旦、サーバ５０に送信される。これを受けて、サーバ５０は、閲覧要求を受信した携帯端末装置３０に予め対応付けられている給湯装置１０のうち、閲覧要求により指定された給湯装置１０の状態情報を、当該携帯端末装置３０に送信する。これにより、給湯装置１０の状態が、携帯端末装置３０において出力される。こうして、操作者は、給湯装置１０の状態を、宅内および宅外の両方において確認できる。
【００３９】
図２は、給湯システム１を構成する各機器の回路ブロックを示す図である。
【００４０】
給湯器１１は、制御部１１１と、記憶部１１２と、通信部１１３と、水位センサ１１４とを備える。制御部１１１は、ＣＰＵ（Central Processing Unit）を備え、記憶部１１２に記憶されたプログラムに従って、給湯器１１内の各部の制御を行う。記憶部１１２は、メモリを備え、所定の制御プログラムを記憶する。通信部１１３は、制御部１１１からの制御に従って、浴室リモコン１２および台所リモコン１３と通信を行う。
【００４１】
水位センサ１１４は、給湯装置１０が接続された浴槽の水位を検出する。水位センサ１１４は、たとえば、浴槽に接続された配管内の水圧によって浴槽の水位を検出する。制御部１１１は、水位センサ１１４により検出される水位の変化によって、浴槽に対し人が入浴および退出したことを検出する。
【００４２】
浴室リモコン１２は、上述の表示部１２１および入力部１２２の他、制御部１２３と、記憶部１２４と、通信部１２５と、入室センサ１２６とを備える。表示部１２１は、たとえば、液晶パネルにより構成される。入力部１２２は、温度設定ボタン等の各種操作ボタンを備える。表示部１２１が、タッチパネルであってもよい。
【００４３】
制御部１２３は、ＣＰＵを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１と通信を行う。入室センサ１２６は、浴室に対する人の出入りを検出する。入室センサ１２６は、たとえば、赤外線を用いた人感センサである。制御部１２３は、入室センサ１２６の出力に基づいて、浴室に人が入ったことを検出する。
【００４４】
台所リモコン１３は、上述の表示部１３１および入力部１３２の他、制御部１３３と、記憶部１３４と、通信部１３５を備える。表示部１３１は、たとえば、液晶パネルにより構成される。入力部１３２は、各種操作ボタンを備える。表示部１３１が、タッチパネルであってもよい。制御部１３３は、ＣＰＵを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１と通信を行う。
【００４５】
さらに、台所リモコン１３は、無線通信部１３６を備える。ここで、無線通信部１３６は、ルータ２０との間で無線通信が可能な無線通信モジュールである。無線通信部１３６（無線通信モジュール）には、宅内Ｈ１０に設定されたＬＡＮ（Local Area Network）上の機器を特定するためのＩＰアドレスが割り振られている。また、無線通信部１３６は、上述のＭＡＣアドレスを保持している。無線通信部１３６も、ＢＳＳＩＤを保持している。この他、台所リモコン１３は、音声を出力するためのスピーカを備えている。
【００４６】
携帯端末装置３０は、表示部３０１と、入力部３０２と、制御部３０３と、記憶部３０４と、無線通信部３０５とを備える。表示部３０１は、たとえば、液晶パネルにより構成される。入力部１３２は、各種操作ボタンと、表示部３０１に積層されたタッチパネルとを備える。
【００４７】
制御部３０３は、ＣＰＵを備え、記憶部３０４に記憶されたプログラムに従って所定の制御を行う。記憶部３０４は、メモリを備え、所定の制御プログラムを記憶する。無線通信部３０５は、制御部３０３からの制御に従って、ルータ２０と通信を行う。無線通信部３０５は、ルータ２０との間で無線通信が可能な無線通信モジュールである。無線通信部３０５にもＩＰアドレスが割り振られている。また、無線通信部３０５は、上述のＭＡＣアドレスを保持している。無線通信部３０５も、ＢＳＳＩＤを保持している。この他、携帯端末装置３０は、音声を出力するためのスピーカを備えている。
【００４８】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００４９】
本実施形態では、予め、給湯装置１０に対して遠隔制御（遠隔操作および遠隔監視）を行うことが可能な携帯端末装置３０が、給湯装置１０に対応付けて、サーバ５０に登録される。すなわち、予め、給湯装置１０と携帯端末装置３０とがペアリングされ、ペアリングを示す情報（ペアリング情報）が、サーバ５０において管理される。
【００５０】
本実施形態では、このペアリングが、給湯装置１０が設置された建物内において行われる。すなわち、携帯端末装置３０の所持者は、原則、給湯装置１０が設置された建物内に携帯端末装置３０を所持して立ち入らなければ、自身の携帯端末装置３０と給湯装置１０とをペアリングできない。これにより、悪意の第三者によって不当に、携帯端末装置３０と給湯装置１０とがペアリングされる可能性が減少する。よって、不当に遠隔制御（遠隔制御および遠隔監視）が行われるリスクを抑制できる。
【００５１】
図３（ａ）、（ｂ）は、それぞれ、給湯装置１０と携帯端末装置３０とをペアリングするための、台所リモコン１３と携帯端末装置３０における処理を示すフローチャートである。
【００５２】
操作者は、宅内Ｈ１０において、携帯端末装置３０にインストールされた給湯システム１のアプリケーションプログラムを起動し、携帯端末装置３０をペアリングモードに設定する。その後、操作者は、台所リモコン１３の入力部１３２に対し、ペアリングのための操作を行う。
【００５３】
図３（ａ）を参照して、台所リモコン１３に対してペアリングのための操作が行われると（Ｓ１１：ＹＥＳ）、台所リモコン１３の制御部１３３は、ペアリングのためのアナウンスをＵＤＰプロトコルによりブロードキャスト送信する（Ｓ１２）。ブロードキャスト送信は複数回（たとえば３回）行われる。携帯端末装置３０が宅内Ｈ１０にある場合、このアナウンスは携帯端末装置３０により受信される。
【００５４】
図３（ｂ）を参照して、携帯端末装置３０の制御部３０３は、このアナウンスを受信すると（Ｓ２１：ＹＥＳ）、表示部３０１に、ペアリング操作を受け付けるための受付画面を表示させる（Ｓ２２）。操作者は、この受付画面にペアリングのための操作を行う。たとえば、受付画面には、ペアリングを了承するためのボタンが含まれている。操作者は、このボタンにタッチして、ペアリングを了承する。これにより、制御部３０３は、ペアリング要求をＴＣＰプロトコルにより台所リモコン１３にユニキャスト送信する（Ｓ２３）。ペアリング要求には、携帯端末装置３０のＩＤ情報と、アドレス情報（ＭＡＣアドレス）とが含まれている。携帯端末装置３０のＩＤ情報として、たとえば、無線通信部３０５のＵＵＩＤ（UniversallyUnique Identifier）またはＧＵＩＤ（Globally Unique Identifier）が用いられる。
【００５５】
図３（ａ）を参照して、台所リモコン１３の制御部１３３は、所定時間以内にペアリング要求を受信しなかった場合（Ｓ１３：ＮＯ）、ペアリングの処理を終了する。他方、アナウンスの送信から所定時間以内に携帯端末装置３０からペアリング要求を受信すると（Ｓ１３：ＹＥＳ）、制御部１３３は、表示部１３１に、ペアリングの了承を受け付けるための受付画面を表示させる（Ｓ１４）。
【００５６】
操作者は、この受付画面にペアリングを了承するための操作を行う。これにより、制御部１３３は、ペアリング応答をＴＣＰプロトコルにより携帯端末装置３０に送信する（Ｓ１５）。このペアリング応答には、台所リモコン１３のＩＤ情報が含まれている。台所リモコン１３のＩＤ情報として、たとえば、無線通信部１３６のＴＨＩＮＧが用いられる。さらに、ペアリング応答には、台所リモコン１３が接続するルータ２０のＩＤ情報（ＢＳＳＩＤ）が含まれている。
【００５７】
図３（ｂ）を参照して、携帯端末装置３０の制御部３０３は、台所リモコン１３からペアリング応答を受信すると（Ｓ２４：ＹＥＳ）、サーバ５０に対し、ペアリング通知要求を送信する（Ｓ２５）。ここでは、携帯端末装置３０が宅内Ｈ１０にあるため、ペアリング通知要求の送信は、ルータ２０経由で行われる。
【００５８】
上記ペアリング通知要求には、携帯端末装置３０のＩＤ情報（ＵＵＩＤ／ＧＵＩＤ）およびアドレス情報（ＭＡＣアドレス）と、携帯端末装置３０が接続するルータ２０のＩＤ情報（ＢＳＳＩＤ）とが含まれる。携帯端末装置３０が接続するルータ２０のＩＤ情報（ＢＳＳＩＤ）は、携帯端末装置３０とルータ２０とが接続する際に、ルータ２０から携帯端末装置３０に受け渡され、携帯端末装置３０に保持される。ペアリング要求通知に含まれるＩＤ情報（ＢＳＳＩＤ）は、上記２種類の周波数帯（２．４ＧＨｚ、５ＧＨｚ）に対応する２つのＢＳＳＩＤのうち、ペアリング処理時に携帯端末装置３０の接続に用いられた周波数帯に対応するＢＳＳＩＤである。さらに、上記ペアリング通知要求には、ペアリング応答に含まれた台所リモコン１３のＩＤ情報（ＴＨＩＮＧ）および台所リモコン１３が接続するルータ２０のＩＤ情報（ＢＳＳＩＤ）が含まれる。
【００５９】
なお、携帯端末装置３０のＩＤ情報としてＭＡＣアドレスが用いられる場合、ペアリング通知要求には、携帯端末装置３０のアドレス情報は含まれない。この場合、携帯端末装置３０のＩＤ情報（ＭＡＣアドレス）は、携帯端末装置３０のアドレス情報として兼用される。
【００６０】
その後、携帯端末装置３０の制御部３０３は、サーバ５０からペアリング通知要求に対する応答（ペアリング通知応答）を受信するのを待つ（Ｓ２６）。後述のように、ペアリング通知要求に基づき、サーバ５０において、給湯装置１０（ここでは、台所リモコン１３）と携帯端末装置３０との対応付けがなされると、ペアリング通知応答（ペアリング結果）が、サーバ５０からルータ２０を介して携帯端末装置３０の制御部３０３に送信される。こうして、ペアリング通知応答を受信すると（Ｓ２６：ＹＥＳ）、携帯端末装置３０の制御部３０３は、ペアリングがサーバ５０に適正に登録されたとして処理を終了する。
【００６１】
図３（ａ）を参照して、台所リモコン１３の制御部１３３は、ステップＳ１５でペアリング応答を携帯端末装置３０に送信した後、サーバ５０からペアリング結果の通知を受信するのを待つ（Ｓ１６）。後述のように、サーバ５０は、給湯装置１０（ここでは、台所リモコン１３）と携帯端末装置３０との対応付け行うと、ペアリング結果の通知を台所リモコン１３に送信する。こうして、ペアリング結果の通知を受信すると（Ｓ１６：ＹＥＳ）、台所リモコン１３の制御部１３３は、受信したペアリング結果に基づきペアリングがサーバ５０に適正に登録されたことを確認し、ペアリング結果応答をサーバ５０に送信する（Ｓ１７）。これにより、台所リモコン１３における処理が終了する。
【００６２】
図４（ａ）は、給湯装置１０（台所リモコン１３）と携帯端末装置３０とをペアリングするための、サーバ５０における処理を示すフローチャートである。
【００６３】
サーバ５０の制御部５０１は、図３（ｂ）のステップＳ２５において携帯端末装置３０から送信されたペアリング通知要求を受信すると（Ｓ３１：ＹＥＳ）、受信したペアリング通知要求に基づいて、給湯装置１０と携帯端末装置３０のペアリングを、記憶部５０２に保持されたデータベースに登録する（Ｓ３２）。
【００６４】
具体的には、制御部５０１は、受信したペアリング通知要求から、携帯端末装置３０のＩＤ情報およびアドレス情報と、給湯装置１０（ここでは、台所リモコン１３）のＩＤ情報を抽出する。そして、制御部５０１は、抽出した給湯装置１０（台所リモコン１３）のＩＤ情報と、携帯端末装置３０のＩＤ情報およびアドレス情報とを、互いに対応づけて、記憶部５０２に記憶させる。
【００６５】
図４（ｂ）は、サーバ５０において管理される給湯装置１０（ここでは、台所リモコン１３）と携帯端末装置３０とを対応付けたペアリング情報の構成を示す図である。
【００６６】
図４（ｂ）に示すように、サーバ５０では、給湯装置１０ごとに、当該給湯装置１０にペアリングされた携帯端末装置３０のＩＤ情報と、各携帯端末装置３０のアドレス情報とが管理されている。具体的には、サーバ５０の記憶部５０２に給湯システム１の制御に用いるデータベースが構築され、このデータベースにおいて、図４（ｂ）の情報が給湯装置１０ごとに管理されている。なお、上記のように、携帯端末装置３０のＩＤ情報がＭＡＣアドレスである場合、ＩＤ情報がアドレス情報として兼用されるため、図４（ｂ）の構成からアドレス情報が省略される。
【００６７】
図４（ｂ）に示すように、サーバ５０のデータベースには、ペアリング情報とともに、給湯装置１０（台所リモコン１３）が接続する通信中継器（ルータ２０）のＩＤ情報（メイン中継器ＩＤ）が、給湯装置１０ごとに登録されている。ここでは、メイン中継器ＩＤとして、通信中継器（ルータ２０）のＢＳＳＩＤが保持されている。上記のように、メイン中継器ＩＤとして登録されるＢＳＳＩＤは、初期設定の際に、台所リモコン１３のＩＤ情報とともに、台所リモコン１３からサーバ５０に送信され、サーバ５０のデータベースに登録される。
【００６８】
さらに、サーバ５０のデータベースには、ペアリング情報とともに、ペアリング処理時に携帯端末装置３０が接続した通信中継器（ルータ２０）のＩＤ情報（サブ中継器ＩＤ）が、給湯装置１０ごとに登録されている。ここでは、サブ中継器ＩＤとして、通信中継器（ルータ２０）のＢＳＳＩＤが保持されている。サブ中継器ＩＤとして登録されるＢＳＳＩＤは、図３（ｂ）のステップＳ２５において、ペアリング通知要求に含まれて、携帯端末装置３０からサーバ５０に送信され、サーバ５０のデータベースに登録される。
【００６９】
このとき送信されるペアリング通知要求には、上記のように、台所リモコン１３が接続する通信中継器（ルータ２０）のＢＳＳＩＤが含まれている。サーバ５０は、サブ中継器ＩＤを登録する際に、このＢＤＤＩＤとデータベースに登録されたメイン中継器ＩＤとが一致することを確認する。
【００７０】
なお、図４（ｂ）に示すように、データベースには、１つの給湯装置１０に対して複数のサブ中継器ＩＤが登録可能である。ペアリング処理時において、携帯端末装置３０は、２．４ＧＨｚの周波数帯と５ＧＨｚの周波数帯の何れかでルータ２０と接続可能である。したがって、複数の携帯端末装置３０が給湯装置１０にペアリングされる場合、２．４ＧＨｚの周波数帯に対応するＢＳＳＩＤと５ＧＨｚの周波数帯に対応するＢＳＳＩＤが、ペアリング通知要求によりサーバ５０に送信され得る。また、宅内Ｈ１０にさらに他のルータや電波を増幅するための中継器が設置されている場合、ペアリング処理時に、携帯端末装置３０がこれら他のルータや中継器に接続される場合も想定され得る。この場合、ペアリング処理の際に、さらに異なるＢＳＳＩＤが、ペアリング通知要求によりサーバ５０に送信されることが起こり得る。
【００７１】
このように、異なる種類のＢＳＳＩＤがサブ中継器ＩＤとして登録されることが起こり得ため、データベースには、１つの給湯装置１０に対して複数のサブ中継器ＩＤが登録可能となっている。なお、１つの給湯装置１０に対して登録されるサブＢＳＳＩＤは、同じものが重複しないように調整される。すなわち、ペアリング処理時にペアリング通知要求に含まれて送信された、携帯端末装置３０が接続する通信中継器（ルータ２０）のＢＳＳＩＤが、既に、ペアリング先の給湯装置１０に対応づけてサブ中継器ＩＤとして登録されている場合、サーバ５０は、このＢＳＳＩＤを重ねてサブ中継器ＩＤとして登録しないように処理を行う。
【００７２】
図４（ａ）に戻り、サーバ５０の制御部５０１は、ステップＳ３２においてペアリングの登録を行うと、ペアリング通知応答を携帯端末装置３０に送信する（Ｓ３３）。送信されたペアリング通知応答は、図３（ｂ）のステップＳ２６において携帯端末装置３０により受信される。
【００７３】
さらに、サーバ５０の制御部５０１は、ペアリングが行われたことを示すペアリング結果の通知を、ペアリングの対象とされている給湯装置１０（ここでは、台所リモコン１３）に送信する（Ｓ３４）。送信されたペアリング結果は、図３（ａ）のステップＳ１６において、台所リモコン１３により受信される。
【００７４】
その後、サーバ５０の制御部５０１は、給湯装置１０（台所リモコン１３）からペアリング結果応答を受信するのを待つ（Ｓ３５）。ペアリング結果応答は、図３（ａ）のステップＳ１７において、台所リモコン１３から送信される。サーバ５０の制御部５０１は、台所リモコン１３からペアリング結果応答を受信すると（Ｓ３５：ＹＥＳ）。ペアリングの処理を終了する。
【００７５】
図５は、給湯装置１０と携帯端末装置３０とをペアリングする際に、台所リモコン１３、携帯端末装置３０およびサーバ５０の間で行われる情報の送受信の流れを示すシーケンス図である。このシーケンスは、図３（ａ）〜図４（ａ）に示したフローチャートに従って行われる。
【００７６】
台所リモコン１３に対してペアリングのための操作がなされると、シーケンス（１）において、台所リモコン１３からペアリングのためのアナウンスがブロードキャストで送信される。このアナウンスが携帯端末装置３０において受け付けられると、シーケンス（２）において、携帯端末装置３０から台所リモコン１３にペアリング要求が送信される。このペアリング要求が台所リモコン１３において受け付けられると、シーケンス（３）において、台所リモコン１３から携帯端末装置３０にペアリング応答が送信される。このとき、上記のように、台所リモコン１３のＩＤ情報（ＵＵＩＤ／ＧＵＩＤ）と、台所リモコン１３が接続するルータ２０（通信中継器）のＩＤ情報（ＢＳＳＩＤ）とが、台所リモコン１３から携帯端末装置３０に受け渡される。これにより、台所リモコン１３と携帯端末装置３０との間で行われるペアリングのための手順が終了する（フェーズ１）。
【００７７】
次に、シーケンス（４）において、携帯端末装置３０からサーバ５０に対し、ペアリングの登録を要求するためのペアリング通知要求が送信される。ペアリング通知要求には、台所リモコン１３のＩＤ情報（ＵＵＩＤ／ＧＵＩＤ）および台所リモコン１３が接続するルータ２０（通信中継器）のＩＤ情報（ＢＳＳＩＤ）と、携帯端末装置３０のＩＤ情報、アドレス情報および携帯端末装置３０が接続するルータ２０（通信中継器）のＩＤ情報（ＢＳＳＩＤ）とが含まれている。
【００７８】
ペアリング通知要求がサーバ５０に受信されると、上記のように、サーバ５０において、台所リモコン１３のＩＤ情報により特定される給湯装置１０と携帯端末装置３０との対応付け（ペアリング）がデータベースに登録される。このとき、同時に、携帯端末装置３０が接続するルータ２０（通信中継器）のＩＤ情報がサブ中継器ＩＤに含まれていない場合に、当該ＩＤ情報がサブ中継器ＩＤとして登録される。この登録において、ペアリング通知要求中の台所リモコン１３が接続するルータ２０のＩＤ情報とメイン中継器ＩＤとが一致することが確認される。
【００７９】
こうして全ての登録が終了すると、シーケンス（５）において、ペアリング通知応答（ペアリング結果）がサーバ５０から携帯端末装置３０に送信される。これにより、携帯端末装置３０において、ペアリングが適正になされたことが確認される。こうして、サーバ５０と携帯端末装置３０との間で行われる手順が終了する（フェーズ２）。
【００８０】
さらに、シーケンス（６）において、サーバ５０から台所リモコン１３に対し、ペアリングが登録されたことを示すペアリング結果の通知が送信される。この通知が台所リモコン１３において受信されると、上記のように、ペアリング結果に基づき台所リモコン１３においてペアリングが適正になされたことが確認され、シーケンス（７）において、ペアリング結果応答が台所リモコン１３からサーバ５０に送信される。こうして、サーバ５０と台所リモコン１３との間で行われる手順が終了する（フェーズ３）。これにより、ペアリングのための全てのシーケンスが終了する。
【００８１】
上記のようにして、ペアリング情報がサーバ５０に登録されることにより、給湯装置１０を遠隔制御可能な携帯端末装置３０が、ペアリング情報にＩＤ情報が含まれる携帯端末装置３０に制限される。これにより、給湯装置１０の使用者のセキュリティが担保される。
【００８２】
次に、給湯システム１における遠隔操作の際の制御について説明する。
【００８３】
図６（ａ）、（ｂ）は、それぞれ、遠隔操作における携帯端末装置３０およびサーバ５０の制御を示すフローチャートである。
【００８４】
図６（ａ）を参照して、操作者が、携帯端末装置３０に対して、遠隔操作のためのアプリケーションを立ち上げると、携帯端末装置３０の制御部３０３は、サーバ５０に対して接続要求を送信する。接続要求には、当該携帯端末装置３０の識別情報（携帯ＩＤ）と、当該携帯端末装置３０が接続するルータ（通信中継器）の識別情報（ＢＳＳＩＤ）が含まれる（Ｓ１０１）。
【００８５】
図６（ｂ）を参照して、サーバ５０の制御部５０１は、携帯端末装置３０から接続要求を受信すると（Ｓ２０１：ＹＥＳ）、接続要求から携帯端末装置３０の識別情報（携帯ＩＤ）を抽出し、抽出した識別情報（携帯ＩＤ）に対応する給湯装置１０の管理情報（図４（ｂ）参照）を特定する。そして、制御部５０１は、当該管理情報に含まれるサブ中継器ＩＤ（ＢＳＳＩＤ）と、接続要求とともに受信した接続先ルータの識別情報（ＢＳＳＩＤ）とが一致するか否かを判定する（Ｓ２０２）。
【００８６】
ここで、携帯端末装置３０が宅内Ｈ１０にある場合、携帯端末装置３０は、宅内Ｈ１０のルータ２０に接続して、接続要求をサーバ５０に送信する。したがって、この場合、宅内Ｈ１０に設置されたルータ２０の識別情報（ＢＳＳＩＤ）が、接続要求とともに送信される。このため、サーバ５０が接続要求とともに受信したルータの識別情報（ＢＳＳＩＤ）は、管理情報に含まれるサブ中継器ＩＤ（ＢＳＳＩＤ）に一致する。これにより、ステップＳ２０２の判定は、ＹＥＳとなる。
【００８７】
これに対し、携帯端末装置３０が宅外にある場合、携帯端末装置３０は、宅内Ｈ１０のルータ２０とは異なるルータ６０（通信中継器）に接続して、接続要求をサーバ５０に送信する。したがって、この場合、宅内Ｈ１０のルータ２０とは異なる識別情報（ＢＳＳＩＤ）が接続要求とともにサーバ５０に送信される。このため、サーバ５０が接続要求とともに受信したルータの識別情報（ＢＳＳＩＤ）は、管理情報に含まれるサブ中継器ＩＤ（ＢＳＳＩＤ）に一致しない。これにより、ステップＳ２０２の判定は、ＮＯとなる。
【００８８】
なお、上記のように、ルータ２０は、２種類の周波数帯（２．４ＧＨｚ、５ＧＨｚ）で通信可能であるため、宅内Ｈ１０において遠隔制御が行われる場合、携帯端末装置３０は、ペアリング時と異なる周波数帯でルータ２０に接続することが起こり得る。また、宅内Ｈ１０にルータ２０とは別のルータや中継器が設置されている場合も、携帯端末装置３０は、ペアリング時と異なる通信中継器に接続することが起こり得る。これらの場合、携帯端末装置３０から送信されるルータ２０の識別情報（ＢＳＳＩＤ）は、当該携帯端末装置３０がペアリング時にサーバ５０に送信した通信中継器の識別情報（ＢＳＳＩＤ）と異なることになる。
【００８９】
しかしながら、家族の構成員等、複数の使用者が給湯装置１０を使用する場合、各使用者がそれぞれ所持する複数の携帯端末装置３０が給湯装置１０にペアリングされる。したがって、これら複数の携帯端末装置３０によってペアリング時にサブ中継器ＩＤが登録されると、宅内Ｈ１０に設置された通信中継器の識別情報（ＢＳＳＩＤ）が順次、サブ中継器ＩＤとしてサーバ５０のデータベースに登録されていくことになる。
【００９０】
したがって、上記のように、遠隔制御時とペアリング時とで同一の携帯端末装置３０が接続する周波数帯（２．４ＧＨｚ、５ＧＨｚ）や通信中継器が相違する場合であっても、遠隔制御時に携帯端末装置３０からサーバ５０に送信される通信中継器の識別情報（ＢＳＳＩＤ）は、サーバ５０において管理されているサブ中継器の何れかに一致するようになる。このため、サーバ５０は、携帯端末装置３０から受信した接続要求に含まれる通信中継器の識別情報（ＢＳＳＩＤ）に基づいて、携帯端末装置３０が宅内Ｈ１０および宅外の何れにあるかを適正に判別できる。
【００９１】
ステップＳ２０２の判定がＹＥＳの場合、制御部５０１は、遠隔操作のモードを宅内モードに設定する（Ｓ２０３）。また、ステップＳ２０２の判定がＮＯの場合、制御部５０１は、遠隔操作のモードを宅外モードに設定する（Ｓ２０４）。そして、制御部５０１は、設定したモード（モード情報）と当該給湯装置１０の状態情報とを含む応答を、携帯端末装置３０に送信する（Ｓ２０５）。
【００９２】
この応答は、図６（ａ）のステップＳ１０２において、携帯端末装置３０の制御部３０３に受信される。その後、サーバ５０は、携帯端末装置３０から設定コマンドを受け付ける処理を実行する（Ｓ２０６）。
【００９３】
図６（ａ）を参照して、携帯端末装置３０の制御部３０３は、サーバ５０から応答を受信すると（Ｓ１０２：ＹＥＳ）、応答に含まれるモード（宅内モード／宅外モード）を参照し、当該モードに応じて、遠隔操作時に選択可能な設定項目を決定する（Ｓ１０３）。ここで、宅内モードの場合に選択可能な設定項目と、宅外モードの場合に選択可能な設定項目は、予め、携帯端末装置３０の記憶部３０４に記憶されている。制御部３０３は、記憶部３０４に記憶されたこれら２つの設定項目群のうち、サーバ５０から受信した応答に含まれたモードに対応する設定項目群を、遠隔操作時に選択可能な設定項目群として選択する。
【００９４】
ここで、宅内モードの場合に選択可能な設定項目群は、当該給湯装置１０が設置された宅内Ｈ１０において実行可能な全ての機能に対応付けられた全ての項目である。また、宅外モードの場合に選択可能な設定項目群は、当該給湯装置１０が設置された宅内Ｈ１０において実行可能な全ての機能に対応付けられた全ての項目から一部の項目が除外された残りの項目である。したがって、宅内モードの場合の設定項目群の数は、宅外モードの場合の設定項目群の数よりも多くなる。
【００９５】
なお、宅外モードにおいて除外される項目は、給湯温度の変更や、風呂温度の変更、風呂水位の変更等、既に宅内Ｈ１０でその設定項目に対応する給湯装置１０の機能が使用され、あるいは使用されようとしている場合に、不意に設定が変更されることが好ましくないと想定される項目に調整される。
【００９６】
こうして選択可能な設定項目群を決定した後、制御部３０３は、遠隔操作を受け付けるための操作画面を表示部３０１に表示させて、遠隔操作による設定操作を受け付ける（Ｓ１０４）。この操作画面は、ステップＳ１０３で決定された選択可能な設定項目群に対して設定を受け付け、その他の項目に対しては設定を受け付けないように構成されている。すなわち、宅内モードでは、全ての項目に対して設定が受け付けられるよう操作画面が構成され、宅外モードでは、一部の項目を除く項目に対して設定が受け付けられるよう操作画面が構成される。
【００９７】
図７（ａ）は、遠隔操作時に携帯端末装置３０に表示される操作画面６００を模式的に示す図である。図７（ｂ）は、宅内モードと宅外モードとで遠隔操作が可能な設定項目の一例を示す図である。
【００９８】
図７（ｂ）の例では、給湯装置１０が設置された宅内Ｈ１０において、給湯機能および風呂機能の他に、床暖房機能、浴室暖房機能および暖房機能が実行可能である。宅内モードでは、これら機能に対応付けられた全ての項目が設定可能であり、宅外モードでは、これら機能に対応付けられた全ての項目から、給湯、風呂、床暖房、浴室暖房および暖房の各機能における温度変更の項目と、風呂機能における水変更の項目とを除いた残りの項目が設定可能である。
【００９９】
図７（ａ）を参照して、操作画面６００は、領域６１０、６２０、６３０に区分されている。
【０１００】
領域６１０には、モード表示部６１１と、給湯温度設定部６１２と、風呂温度設定部６１３と、風呂水位設定部６１４と、浴槽画像６１５と、確定ボタン６１６と、終了ボタン６１７とが含まれている。モード表示部６１１には、図６（ａ）のステップＳ１０２で受信した応答に含まれるモード情報に基づいて、現在の操作モードが宅内モードであるか宅外モードであるかが表示される。
【０１０１】
また、給湯温度設定部６１２、風呂温度設定部６１３とおよび風呂水位設定部６１４には、それぞれ、図６（ａ）のステップＳ１０２で受信した応答に含まれる状態情報に基づいて、現在の給湯温度、風呂温度および風呂水位の設定状態が示される。浴槽画像６１５には、現在の風呂水位の設定状態が浴槽に溜められる水の画像として表示される。
【０１０２】
ここで、操作モードが宅内モードである場合、給湯温度設定部６１２、風呂温度設定部６１３および風呂水位設定部６１４は、操作可能な状態に有効化される。この場合、確定ボタン６１６も同様に有効化される。操作者は、給湯温度設定部６１２、風呂温度設定部６１３および風呂水位設定部６１４にタッチすることにより、給湯温度、風呂温度および風呂水位を変更することができる。
【０１０３】
たとえば、操作者がこれらの設定部をタッチすると、その直下にアップ／ダウンキーが表示される。操作者がアップ／ダウンキーにタッチするごとに、各設定部の数値が増減する。こうして、操作者は、所望の設定部に対して、設定値の変更を行い得る。その後、操作者が確定ボタン６１６にタッチすると、これらの項目の変更が確定される。
【０１０４】
操作モードが宅外モードである場合、給湯温度設定部６１２、風呂温度設定部６１３および風呂水位設定部６１４は、操作不能な状態に無効化される。この場合、確定ボタン６１６も同様に無効化される。図７（ａ）では、操作モードが宅外モードであるため、給湯温度設定部６１２、風呂温度設定部６１３、風呂水位設定部６１４および確定ボタン６１６は、何れも無効化されている。この場合、操作者は、給湯温度設定部６１２、風呂温度設定部６１３および風呂水位設定部６１４にタッチしても、給湯温度、風呂温度および風呂水位を変更することができない。
【０１０５】
領域６２０には、風呂自動設定部６２１と、追い焚き設定部６２２と、風呂洗浄設定部６２３と、が含まれている。風呂自動設定部６２１は、設定された風呂温度および風呂水位で浴槽に湯を溜めるための設定ボタンである。追い焚き設定部６２２は、風呂の追い焚きを設定するための設定ボタンである。風呂洗浄設定部６２３は、自動で風呂洗浄を行うための設定ボタンである。
【０１０６】
風呂自動設定部６２１、追い焚き設定部６２２および風呂洗浄設定部６２３は、図７（ｂ）の条件により、操作モードが宅内モードであるか宅外モードであるかに拘わらず、常に、操作可能な状態に有効化される。
【０１０７】
操作者は、風呂自動設定部６２１、追い焚き設定部６２２および風呂洗浄設定部６２３にタッチすることにより、これら設定部による機能を選択することができる。再度、これらの設定部がタッチされると、選択が解除される。選択された設定部は、選択されたことが視認可能となるようにハイライト表示される。図７（ａ）の例では、風呂自動設定部６２１が選択されている。その後、操作者は、確定ボタン６１６にタッチすることにより、選択した設定項目を確定させることができる。
【０１０８】
領域６３０には、操作対象の機能を切り替えるための４つのボタン６３１〜６３４が含まれている。図７（ａ）の例では、風呂機能を操作対象とするためのボタン６３１が選択されている。このため、領域６１０、６２０には、風呂機能に対応する設定項目が操作対象として表示されている。
【０１０９】
操作者がボタン６３２にタッチすると、領域６１０、６２０に、浴室暖房機能に対応する設定項目が操作対象として表示される。また、操作者がボタン６３３にタッチすると、領域６１０、６２０に、暖房機能に対応する設定項目が操作対象として表示され、ボタン６３４にタッチすると、領域６１０、６２０に、床暖房機能に対応する設定項目が操作対象として表示される。これらの場合も、図７（ｂ）の条件に従い、操作モードが宅外モードの場合は、温度変更に対応する設定項目のみが無効化され、操作モードが宅内モードの場合は、全て設定項目が有効化される。
【０１１０】
上記の操作がなされた後、確定ボタン６１６がタッチされると、制御部３０３は、図６（ａ）のステップＳ１０４において、操作者により操作された項目に対応する設定コマンドをサーバ５０に送信する。これを受けて、サーバ５０の制御部５０１は、図６（ｂ）のステップＳ２０６において、受信した設定コマンドを含む設定要求を台所リモコン１３の制御部１３３に送信する。これにより、給湯装置１０に対して、遠隔操作に応じた設定がなされる。
【０１１１】
操作者は、遠隔操作を終了する場合、図７（ａ）の操作画面６００において、終了ボタン６１７にタッチする。これにより、制御部３０３は、図６（ａ）のステップＳ１０５の判定をＹＥＳとし、終了通知をサーバ５０に送信する（Ｓ１０６）。このとき同時に、図７（ａ）の操作画面６００が閉じられる。こうして、携帯端末装置３０における遠隔操作制御が終了する。サーバ５０の制御部５０１は、携帯端末装置３０から終了通知を受信すると（Ｓ２０７：ＹＥＳ）、遠隔操作の制御を終了する。これにより、給湯システム１における遠隔操作の制御が終了する。
【０１１２】
＜実施形態の効果＞
本実施形態によれば、以下の効果が奏され得る。
【０１１３】
図６（ｂ）に示したように、サーバ５０は、給湯装置１０に対する遠隔操作の通信（接続要求）を携帯端末装置３０から受信した場合に（Ｓ２０１：ＹＥＳ）、当該通信において携帯端末装置３０から受信した通信中継器の識別情報（ＢＳＳＩＤ）と記憶部５０２に記憶されている通信中継器の識別情報（サブ中継器ＩＤ）とが一致するか否かによって、携帯端末装置３０が宅内Ｈ１０にあるか宅外にあるかを判別することができる。よって、これら２つの識別情報（ＢＳＳＩＤ）に基づきサーバ５０において遠隔制御の条件を決定するための制御（宅内モード／宅外モードの設定）が行われることにより、宅内Ｈ１０および宅外から適正に給湯装置１０を遠隔制御することができる。
【０１１４】
図６（ｂ）のステップＳ２０２、Ｓ２０３では、遠隔操作先の給湯装置１０に対応づけられて記憶部５０２に記憶されている何れかのサブ中継器ＩＤと、遠隔制御の接続要求において携帯端末装置３０から受信した通信中継器の識別情報（ＢＳＳＩＤ）とが一致するか否かに基づいて、宅内モードと宅外モードの何れかが決定される。これにより、遠隔制御時とペアリング時とで携帯端末装置３０が接続する周波数帯（２．４ＧＨｚ、５ＧＨｚ）や通信中継器が相違するような場合であっても、上記のように、携帯端末装置３０が宅内Ｈ１０および宅外の何れにあるかが、サーバ５０において、適正に判別され得る。よって、宅内Ｈ１０および宅外からより適切に給湯装置１０を遠隔制御できる。
【０１１５】
図７（ｂ）に示したように、宅内モードの場合の遠隔操作の対象項目が、宅外モードの場合の遠隔操作の対象項目よりも多くなるように調整されている。このように、宅外からの遠隔操作における対象項目が制限されることにより、宅内Ｈ１０の使用者に顕著な違和感や不都合を与えることを回避できる。よって、より適切な遠隔制御を実現できる。
【０１１６】
＜変更例＞
上記実施形態では、携帯端末装置３０が宅外にある場合は、携帯端末装置３０における操作画面６００において、操作可能な設定項目が制限されたが、本変更例では、携帯端末装置３０が宅外にあるか、宅内Ｈ１０にあるかに拘わらず、携帯端末装置３０において、全ての設定項目が操作可能に設定される。すなわち、本変更例では、宅内モードと宅外モードとで、操作画面６００が変更されることがない。代わりに、本変更例では、携帯端末装置３０から受信した設定コマンドが操作モード（宅内モード／宅外モード）により許可され得る設定コマンドであるか否かがサーバ５０において判定され、設定コマンドが許可され得るものでない場合は、サーバ５０により、設定コマンドの受け付けが拒否される。
【０１１７】
この場合、携帯端末装置３０における制御は、図８（ａ）のように変更される。図８（ａ）の制御では、図６（ａ）のステップＳ１０３が省略され、ステップＳ１１１が追加されている。ステップＳ１０３が省略されることにより、ステップＳ１０４において表示される操作画面６００は、操作モード（宅内モード／宅外モード）に拘わらず、全ての設定項目が操作可能に設定される。たとえば、図７（ａ）に示した給湯温度設定部６１２、風呂温度設定部６１３、風呂水位設定部６１４および確定ボタン６１６は、操作モード（宅内モード／宅外モード）に拘わらず、全て操作可能に有効化される。
【０１１８】
また、この場合、図６（ｂ）のステップＳ２０６における設定コマンド受付処理は、図８（ｂ）のフローチャートに従って実行される。すなわち、サーバ５０の制御部５０１は、携帯端末装置３０から設定コマンドを受信すると（Ｓ３０１：ＹＥＳ）、受信した設定コマンドが、図７（ｂ）のステップＳ２０３、Ｓ２０４で設定した操作モードにより許可され得る設定コマンドであるか否かを判定する（Ｓ３０２）。
【０１１９】
たとえば、制御部５０１は、操作モードが宅外モードである場合に、給湯温度変更に関する設定コマンドを受信すると、ステップＳ３０２の判定をＮＯとする。操作モードが宅内モードである場合、制御部５０１は、何れの設定コマンドについても、ステップＳ３０２の判定をＹＥＳとする。
【０１２０】
ステップＳ３０２の判定がＹＥＳである場合、サーバ５０の制御部５０１は、受信した設定コマンドを含む設定要求を台所リモコン１３の制御部１３３に送信する（Ｓ３０３）。これにより、給湯装置１０に対して、遠隔操作に応じた設定がなされる。さらに、制御部５０１は、給湯装置１０に対して遠隔操作による設定が完了したことを示す通知を携帯端末装置３０に送信する（Ｓ３０４）。これにより、設定コマンド受付処理が終了する。
【０１２１】
ステップＳ３０２の判定がＮＯである場合、サーバ５０の制御部５０１は、受信した設定コマンドを含む設定要求を台所リモコン１３の制御部１３３に送信することなく、設定コマンドが受け付けられないことを示す通知を携帯端末装置３０に送信する（Ｓ３０５）。この場合、給湯装置１０に対して、遠隔操作に応じた設定は行われない。こうして、設定コマンド受付処理が終了する。
【０１２２】
携帯端末装置３０の制御部３０３は、ステップＳ３０４、Ｓ３０５において送信された通知に基づき、設定コマンドがサーバ５０により受け付けられたか否かを判定する（Ｓ１１１）。設定コマンドが受け付けられた場合、制御部３０３は、処理をステップＳ１０５に進める。他方、設定コマンドが受け付けられなかった場合、制御部３０３は、そのことを報知する報知画面を、表示部３０１に表示させる。
【０１２３】
図９（ａ）〜（ｄ）は、それぞれ、報知画面の一例を示す図である。
【０１２４】
図９（ａ）〜（ｄ）は、それぞれ、宅外モードにおいて、風呂温度の変更操作、風呂水位の変更操作、給湯温度の変更操作、床暖房温度の変更操作がなされた場合の報知画面７１０〜７４０を示している。報知画面７１０〜７４０には、それぞれ、宅外ではこれらの変更操作を行い得ないことを示す報知文７１１〜７４１と、ＯＫボタン７１２〜７４２が含まれている。操作者は、報知文７１１〜７４１を参照して、これらの操作が宅外からは受け付けられないことを把握する。その後、操作者は、ＯＫボタン７１２〜７４２にタッチする。これにより、制御部３０３は、処理をステップＳ１０５に進める。なお、浴室暖房温度の変更操作および暖房温度の変更操作が行われた場合も、同様の報知画面が表示される。
【０１２５】
本変更例においても、上記実施形態と同様の効果が奏され得る。
【０１２６】
＜その他の変更例＞
上記実施形態では、サブ中継器ＩＤとして通信中継器のＢＳＳＩＤが用いられたが、通信中継器に固有の他の識別情報がサブ中継器ＩＤとして用いられてもよい。このことは、メイン中継器ＩＤについても同様である。
【０１２７】
また、上記実施形態では、宅内モードと宅外モードとで遠隔操作が可能な項目が変更されたが、宅内モードと宅外モードとで遠隔監視が可能な項目が変更されてもよい。たとえば、宅内モードの場合に遠隔監視が可能な項目が、宅外モードの場合に遠隔監視が可能な項目よりも多くなるように調整されてもよい。これにより、給湯装置１０の使用者のセキュリティをより適切に担保できる。
【０１２８】
また、上記実施形態では、ペアリング処理時に、携帯端末装置３０が接続する通信中継器の識別情報（ＢＳＳＩＤ）がサブ中継器ＩＤとしてサーバに登録されたが、台所リモコン１３とサーバ５０との間の初期動作時に、台所リモコン１３が接続する通信中継器の識別情報（ＢＳＳＩＤ）をメイン中継器ＩＤとしてサーバ５０に登録する際に、この識別情報（ＢＳＳＩＤ）をさらにサブ中継器ＩＤとしてサーバ５０に登録してもよい。これにより、サブ中継器ＩＤの登録数をより迅速に増加させることができ、携帯端末装置３０の宅内／宅外判定がより適切に行われやすくなる。
【０１２９】
また、上記実施形態では、給湯装置１０を構成する台所リモコン１３に無線通信部１３６が設けられたが、無線通信部が給湯器１１に設けられて給湯器１１がルータ２０に接続されてもよい。この場合、上記実施形態における台所リモコン１３の制御は、給湯器１１の制御部１１１により行われる。あるいは、給湯器１１、浴室リモコン１２および台所リモコン１３以外に無線通信部を備えた制御ユニットが給湯装置１０に配置され、この制御ユニットがルータ２０に接続されてもよい。この場合、上記実施形態における台所リモコン１３による制御は、制御ユニットによって行われる。
【０１３０】
また、上記実施形態では、ペアリング通知要求が携帯端末装置３０の制御部３０３からサーバ５０に送信されたが、ペアリング通知要求が給湯装置１０（上記実施形態では台所リモコン１３の制御部１３３）からサーバ５０に送信されてもよい。
【０１３１】
なお、給湯装置１０を遠隔制御する端末装置に、携帯性がなく所定の場所に設置される据え置き型の端末装置が含まれてもよい。
【０１３２】
この他、本発明の実施形態は、特許請求の範囲に記載の範囲で適宜種々の変更可能である。
【符号の説明】
【０１３３】
１  給湯システム
１０  給湯装置
１１  給湯器
１３  台所リモコン
３０  携帯端末装置
４０  外部通信網
５０  サーバ
５０１  制御部
５０２  記憶部
【図１】
2020053899.tif 000003
【図２】
2020053899.tif 000004
【図３】
2020053899.tif 000005
【図４】
2020053899.tif 000006
【図５】
2020053899.tif 000007
【図６】
2020053899.tif 000008
【図７】
2020053899.tif 000009
【図８】
2020053899.tif 000010
【図９】
2020053899.tif 000011